(57)【要約】【課題】  セキュリティワイヤを脚や支柱ではない什器フレームのスリットに掛止して結合する構造を簡潔な構造で実現できると共に、スリットに挿入した掛止具の抜け止め機能も簡単な構造で実現できるセキュリティワイヤ等の掛止具を提供する。【解決手段】  テーブル等の什器が備えたスリット等の孔に対し、横メンバと縦メンバを備え、かつ前記横メンバが前記スリット等の孔に入って当該孔の縁に引掛かる孔引掛部と、前記縦メンバの下端部に一体に形成した穴を有する基部を備えた第一部材と、前記第一部材の基部の穴に対応する穴を有する本体部と該本体部の上部に形成した前記スリット等の孔の大きさと略等しい左右幅を有する孔挿入舌片部を有する第二部材を具備して掛止具を形成した。【選択図】  図６
2017215009.tif 000002
【特許請求の範囲】
【請求項１】
テーブル等の什器が備えたスリット等の孔に対し、横メンバと縦メンバを備え、かつ前記横メンバが前記スリット等の孔に入って当該孔の縁に引掛かる孔引掛部と、前記縦メンバの下端部に一体に形成した穴を有する基部を備えた第一部材と、前記第一部材の基部の穴に対応する穴を有する本体部と該本体部の上部に形成した前記スリット等の孔の大きさと略等しい左右幅を有する孔挿入舌片部を有する第二部材を具備した掛止具であって、前記第一部材の孔引掛部を前記スリット等の孔に引掛け、この状態で前記第二部材の孔挿入舌片部を前記スリット等の孔に挿入し、合致した第一部材と第二部材の穴にセキュリティワイヤやフック等の物品支持部材を掛止するようにしたことを特徴とする掛止具。
【請求項２】
什器が備えたスリット等の孔は、スリット状、長円状、楕円状、円状の中のいずれかの形状の孔である請求項1に記載の掛止具。
【請求項３】
第一部材の基部の穴と、第二部材の本体部の穴は、同じ形状，大きさの穴である請求項１又は２に記載の掛止具。
【請求項４】
第一部材の基部の穴と第二部材の本体部の穴を合致させるため、第二部材の本体部に、前記第一部材の基部の左右幅が収まる凹部による保持部、又は袋状の保持部、若しくは前記基部を外側から挟む凸部による保持部のいずれかを設けた請求項１〜３のいずれかに記載の掛止具。
【請求項５】
第二部材の本体部に形成される袋状の保持部は、略同外形の第二部材用の表部材と裏部材を重ねた状態にして形成した請求項４に記載の掛止具。
【請求項６】
第一部材と第二部材は、少なくとも一方の部材が備える凸部と孔を含む凹部によって当該両部材の関係位置が保持されるようにした請求項１〜５のいずれかに記載の掛止具。  
【発明の詳細な説明】
【技術分野】
【０００１】
本発明は、デスク，テーブル，カウンター等の主としてフレームを有する家具状の什器にワイヤ等を取付けるための掛止具に関し、具体的には前記什器の上に置いて使用されるパソコン等の機器類を、前記ワイヤ等により前記什器と物理的に連繁し、前記機器類を什器から分離して持ち去れないようにするためのワイヤ等を、前記什器に結合的に取付けるための掛止具に関する。
【背景技術】
【０００２】
昨今のオフィスにおけるフリーアドレスタイプの業務形態においては、自分の席が固定したデスク等に設けられないため、例えば大形テーブルの一端部に自分のパソコンや携帯電話機（以下、スマホという）などの周辺機器類を置いて業務を遂行しているとき、離席時に前記パソコンやスマホなどが、誤って或は意図的に、第三者に持ち去られるという不測の事態を招末している。
【０００３】
上記のようなパソコンやスマホ等の機器類の第三者による持ち去りを事前に防ぐ目的で、防犯ワイヤや盗難防止ワイヤなどと呼ばれる、前記機器類とその機器類を置くテーブル等の什器をロックして繋ぐワイヤがセキュリティワイヤ等の製品名で提案され、実用にも供されている。
【０００４】
前記セキュリティワイヤの例としては、細目の撚り鋼線の一端側に、パソコン等の機器類にロック付きで結合される機器結合部を設ける一方、当該撚り鋼線の他端側に、前記機器結合部が挿通できる内径を有する小径のリング部を形成したリング部を設けて構成されたものがある。
【０００５】
上記セキュリティワイヤの使用形態は、パソコン等の機器類を用いるデスク等の什器における棒状の脚部や支柱などに、当該ワイヤの多端側を掛け回し、掛け回したワイヤのリング部に当該ワイヤの一端側の機器結合部を挿通させることにより、このセキュリティワイヤの他端側のリング部を前記什器に外れないように結合する一方、このワイヤの一端側の機器結合部をパソコン等の機器が備える対応結合部に結合し、そこに備わったロックを鎖錠して、前記パソコン等の機器の盗難を含む第三者による持ち去りを防ぐようにしている。
【０００６】
ところで、上記セキュリティワイヤでは、そのワイヤの他端側に形成したリング部側を、パソコン等の機器類を使用するデスクの脚や支柱等に結合しなければならないが、例えば大形の連結デスクのような什器をフリーアドレスで使用するとき、当該什器の場所によっては、前記セキュリティワイヤのリング部を結合する脚や支柱が無い場所や、脚や支柱に結合するにはセキュリティワイヤの長さが不足してそのセキュリティワイヤを使用できないという問題がある。
【０００７】
上記のような問題に対しては、什器の脚や支柱以外の部位に存在する構成部材に前記セキュリティワイヤのリング部を掛止して結合するための金具を設けることが考えられる。
この点に関して、特許文献１〜３には、什器のフレーム等に設けられたスリットに掛止具を支持させて設ける形態が開示されているが、これらの特許文献１〜３に示された掛止具は、セキュリティワイヤ等を掛止して結合する構造を具備しておらず、また、スリットに挿入した掛止具の抜け止めのための操作や構造が複雑であったり、抜け止め強度が大きくないため、そのままでは前記セキュリティワイヤの掛止部に転用できず、応用するにも適当ではない。
【先行技術文献】
【特許文献】
【０００８】
【特許文献１】特開２０１１−９８０６８号公報
【特許文献２】実用公開６１−１９９２４８号公報
【特許文献３】実用公開６３−１５８６１０号公報
【発明の概要】
【発明が解決しようとする課題】
【０００９】
本発明は、上記のようなセキュリティワイヤを、脚や支柱ではない什器のフレーム等の構成部材に設けられているスリット等の孔に容易に結合できる構造を簡潔な構造で実現できると共に、スリット等の孔に挿入した掛止具の抜け止め機能や抜け止め強度を簡単な操作と構造で実現できるセキュリティワイヤやフック等の物品支持部材の掛止具を提供することを課題とする。
【課題を解決するための手段】
【００１０】
上記課題を解決することを目的としてなされた本発明掛止具の構成は、テーブル等の什器が備えたスリット等の孔に対し、横メンバと縦メンバを備え、かつ前記横メンバが前記スリット等の孔に入って当該孔の縁に引掛かる孔引掛部と、前記縦メンバの下端部に一体に形成した穴を有する基部を備えた第一部材と、前記第一部材の基部の穴に対応する穴を有する本体部と該本体部の上部に形成した前記スリット等の孔の大きさと略等しい左右幅を有する孔挿入舌片部を有する第二部材を具備した掛止具であって、前記第一部材の孔引掛部を前記スリット等の孔に引掛け、この状態で前記第二部材の孔挿入舌片部を前記スリット等の孔に挿入し、合致した第一部材と第二部材の穴にセキュリティワイヤやフック等の物品支持部材を掛止するようにしたことを特徴とするものである。本発明において、横メンバと縦メンバを有する孔引掛部材は、代表的には正面視略Ｔ状、又は略倒立Ｌ状である。また前記スリット等の孔には、スリットのほかに長円状、楕円状、円状の孔があり、本発明はいずれの孔にも適用できる。
【００１１】
上記構成において、第一部材の基部の穴と、第二部材の本体部の穴は、同じ形状，大きさの穴であることが好ましいが、穴の形状，大きさとも２つの穴が全部一致する必要はなく、2つの穴が部分的に重複すれば足りる。具体的にはセキュリティワイヤやフック等の物品支持部材の一端側を挿通できる大きさ，形状であればよい。因みに、２つの穴が大きさ形状とも同じで一致すると、第一部材と第二部材とが両部材の穴とその近傍において一体的になるからワイヤ等の物品支持部材を通しやすく、ワイヤの場合には結束もし易くなる。
【００１２】
本発明では、前記第一部材の基部の穴と第二部材の本体部の穴の合致状態を保持するため、第二部材の本体部に、前記第一部材の基部の左右幅が収まる凹部又は袋状の収容部、或は、前記環状部の左右幅を外側から挟む凸部を形成することがある。
【発明の効果】
【００１３】
本発明は、横メンバと縦メンバによる孔引掛部と該孔引掛部の下方に設けたワイヤ等の物品支持部材を通す穴を有する基部により第一部材を形成する一方、前記基部の穴に合うワイヤ等の物品支持部材を通す穴を備えた本体部と該本体部の上方に一体に設けた、前記スリット等の孔の大きさと略同幅の孔挿入舌片部により第二部材を形成し、前記孔引掛部により什器のスリット等の孔に引掛けた第一部材を、前記第二部材の孔挿入舌片部を前記スリット等の孔に挿入して、前記第一部材が前記スリット等の孔から脱落しないように保持し、ここで前記第一部材と第二部材の合致した穴にセキュリティワイヤ等の物品支持部材を挿通して支持させるようにしたから、セキュリティワイヤ等の物品支持部材の掛止部がない什器におけるワイヤ等の物品支持部材の掛止具としてきわめて有用である。
【図面の簡単な説明】
【００１４】
【図１】本発明掛止具の一例を天板フレームに適用した天板下面から見た斜視図。
【図２】図1の本発明掛止具の第一部材の一例の正面図。
【図３】本発明掛止具の第二部材の一例の正面図。
【図４】図３の第二部材の右側面図。
【図５】図３の第二部材の平面図。
【図６】図１の第一部材と図２の第二部材による本発明掛止具の一例を什器のスリットに取付けた状態の一部を断面にした正面図。
【図７】図６のＡ-Ａ線矢視断面拡大図。
【図８】第二部材の別例の平断面図。
【図９】第二部材の他の例の平断面図。
【発明を実施するための形態】
【００１５】
次に、本発明の実施の形態例について図を参照して説明する。図１は、本発明掛止具の一例を、天板Ｔの下面に設けたフレームＦのスリットＳＬに取付けた例を下面から見た斜視図であり、本発明掛止具が第一部材Ｍｆと第二部材Ｍｓを備え、前記第一部材Ｍｆは、図２に例示する次の構成を備えている。
すなわち、図１、図2において１は、テーブル等の什器の、例えば天板Ｔの下面に設けられた角パイプ等によるフレームＦに設けられたスリット等の孔の一例であるスリットＳＬに引掛けられる第一部材Ｍｆの孔引掛部であり、図の例では正面視大略Ｔ状を呈する横メンバ１ｈと縦メンバ１ｖを備えている。前記孔引掛部１が引掛けられる孔には、前記スリットＳＬのほかに前記スリットＳＬの長さを長径又は直径とする長円状、楕円状、円状の孔もある。
【００１６】
前記第一部材Ｍｆの孔引掛部１において、横メンバ１ｈの長さは、前記スリットＳＬの長さＳＬｗよりも大きく、かつ、縦メンバ１ｖの左右幅Ｖｗは、前記スリットＳＬの長さＳＬｗよりも小さい。具体的には、前記縦メンバ１ｖの左右幅Ｖｗと横メンバ１ｈにおける縦メンバ１ｖの左右側からはみ出している一方の側の左右幅Ｈｗの和（Ｖｗ＋Ｈｗ）が、スリットの長さＳＬｗよりわずかに小さい、Ｖｗ＋Ｈｗ＜ＳＬｗの関係になるように形成している。
【００１７】
これにより、孔引掛部１の横メンバ１ｈの片側を傾けてスリットＳＬからフレームＦの内側に挿入すると、これに引き続き横メンバ１ｈの片側をスリットＳＬからフレームＦの内側に挿入することができるから、この第一部材Ｍｆ全体を水平姿勢（スリットＳＬに沿った向き）にして図１の状態にする。  前記孔引掛部１は、その横メンバ１ｈと縦メンバ１ｖがなす形態が、図2に示した略Ｔ状のほかに、縦メンバ１ｖから横メンバ１ｈの一方側を大きくはみ出させ、横メンバ１ｈの他方側は少ししかはみ出させない異形略Ｔ状、或は、横メンバ１ｈの他方側を殆んど縦メンバ１ｖからはみ出させない倒立略Ｌ状の形態もある。
【００１８】
図１において２は、前記孔引掛部１の縦メンバ１ｖの下部に一体に形成された輪郭形状が大略長方形状の基部で、該基部２は、中央部に穴の一例として長穴２Ｈが形成されている。図示した基部２の左右幅はスリットＳＬの長さより大きいが、スリットＳＬの長さと同等、或はそれ以下の大きさであってもよい。また、前記基部２は、その輪郭形状が略長方形である必要はなく、正方形を含む多角形、或は、長円を含む円形や楕円形等であってもよい。また、前記基部２の穴も長穴２Ｈに限られず、他の形状の穴であってもよい。
【００１９】
上記第一部材Ｍｆは、スリットＳＬに挿入した図２に示す状態では、縦メンバ１ｖがスリットＳＬの内部で変位すると、当該スリットＳＬから脱落する。そこで本発明では、図３〜図６を参照して説明する第二部材Ｍｓを用いて前記第一部材ＭｆをスリットＳＬから抜け出せないようにした。
【００２０】
図３〜図５において第二部材Ｍｓは、第一部材Ｍｆの基部２の長穴２Ｈと同形の長穴３Ｈを備えた本体部３と、該本体部３の上辺中央部から上方へ突出した形に一体に形成した、左右幅４ｗが前記スリットＳＬの長さＳＬｗに略等しいか僅かに小さい孔挿入舌片部４を備えて形成されている。
【００２１】
前記第二部材Ｍｓは、図４、図５に示す略同形の表部材３４ａと裏部材３４ｂを、左右の両翼部をスポット溶接等で接合して合着部ｓｐとする一方、表部材３４ａの中間部分を、プレス加工等により前記第一部材Ｍｆの基部２を出し入れ自在に保持できる袋状の保持部５に形成している。
【００２２】
本発明では、図２に示す姿勢で孔引掛部１をスリットＳＬに挿入した第一部材Ｍｆに対し、図３〜図５に示した第二部材Ｍｓを、前記第一部材Ｍｆの基部２がこの第二部材Ｍｓの袋状の保持部５に保持されるように挿入しつつ、当該第二部材Ｍｓの孔挿入舌片部４を、什器フレームＦのスリットＳＬに挿入して図６の状態にする。
【００２３】
これにより、第一部材Ｍｆと第二部材Ｍｓとは、基部２と本体部３が重なった状態で夫々の長穴２Ｈと３Ｈが合致し、かつ、第二部材Ｍｓは、その孔挿入舌片部４が、スリットＳＬに挿入されてスリット内で殆んど左右に動けないから、第一部材Ｍｆを前記スリットＳＬに抜去不能に保持できることになる。
この状態において、前記長穴２Ｈと３Ｈの合致状態は、図６に示すセキュリティワイヤＳＷ等により拘束しないと、第二部材ＭｓがスリットＳＬから落下する。これを防ぐ手段の一例として、図６の袋状の保持部５の左右側の内面、又は前後の内面と、該保持部５に入っている基部２の左右側の外面、又は前後の外面の間に、微小凹凸又は凸部と孔を含む凹部の嵌り合いによる拘束構造や前記内面と外面の間で働く摩擦力、或は第一部材Ｍｆと第二部材Ｍｓの少なくとも一方の部材に付与した磁力の吸着力などによって前記第二部材Ｍｓが第一部材Ｍｆに保持される構造を付与できる。図６の第一部材Ｍｆと第二部材Ｍｓの拘束構造の一例を図７に示す。
図７において、３ａは第二部材Ｍｓにおける表部材３４ａと裏部材３４ｂ内面に設けた低い凸部、１ａは第一部材Ｍｆにおいて前記凸部３ａに対応させて設けた小孔であり、図６では第一部材Ｍｆの小孔１ａに第二部材Ｍｓの凸部３ａが嵌って第二部材Ｍｓの位置を保持している。なお、前記小孔１ａに代えて凹部にしてもよい。
【００２４】
図６において、ＳＷはセキュリティワイヤ、Ｒは前記ワイヤＳＷの他端側に形成したリング部であり、当該ワイヤＳＷの一端側Ｆｒの先端部には図示しない機器結合部が設けられている。
第一部材Ｍｆと第二部材Ｍｓの合致した穴２Ｈ，３Ｈを通した前記セキュリティワイヤＳＷのリング部ＲにこのワイヤＳＷの一端側Ｆｒを通して図６の状態にし、一端側Ｆｒの先端に備わる機器結合部をパソコン等の機器類の対応結合部と結合することにより、当該機器類の持ち去りを防止できる。前記の合致した穴２Ｈ，３Ｈには、ワイヤ類の他に機器等を吊下げたり、支持するためのフックや鉤状の掛け金具、或は機器等に連繋される紐や鎖等の物品支持部材を掛け止めることができる。
【００２５】
本発明において、図示した第二部材Ｍｓは一例であるから、表，裏部材３４ａ，３４ｂの２枚の部材の両翼部ｓｐを合着して第一部材Ｍｆの保持部５を形成しなければならない訳ではない。
例えば、図８に示すように表部材３４ａを１枚で、第一部材Ｍｆの保持部５１を凹設した形態にしたり、図９に示すように第一部材Ｍｆの基部２を左右の外側から挟む形態になる断面凸状による保持部５２を設けてもよい。なお、第二部材Ｍｓは、保持部５，５１，５２を形成しないフラットな板状部材であってもよい。第二部材Ｍｓがフラットの場合、前記第一部材Ｍｆ又は第二部材Ｍｓの少なくとも一方に磁力を具備させて、当該両部材ＭｆとＭｓの関係位置を保持できるようにする。前記磁力の具備は、前記両部材Ｍｆ，Ｍｓの少なくとも一方への着磁又は磁石材の取付けによる。
【００２６】
また、第二部材Ｍｓの本体部３の輪郭形状も、図示した略長方形に限られるものではなく、第一部材Ｍｆの基部２と同様に、四角形以外の多角形や長円を含む円形，楕円形等の形状もあり得る。
なお、第一部材Ｍｆ，第二部材Ｍｓとも、好ましくは金属製であるが、プラスチック製や金属材とプラスチック材の複合材料製など適宜の材料を選択使用できる。
【００２７】
本発明は以上の通りであって、デスク等の什器の上で使用するパソコン等の機器類が離席した隙に第三者に持ち去られることを防ぐセキュリティワイヤ等の物品支持手段を、当該什器の脚や支柱がない部位であってスリット等の孔が設けられている場所があれば、その孔に設置した本発明掛止具に掛け止めることが出来るから、前記機器類の持ち去りを防止するための掛止具として有用である。
また、本発明掛止具は、板状の第一部材と第二部材をスリット等の孔に同じ向きで挿入するだけで設置作業を完結できるから取付けが簡単であり、また第一部材と第二部材の２部材を重ねた状態でスリット等の孔に装着して設置するから設置強度も高く、更にワイヤ以外のフック等の物品支持部材も掛け止めることができるから掛止具としての汎用性も高い。
【符号の説明】
【００２８】
Ｔ  什器の天板
Ｆ  什器のフレーム
ＳＬ  フレームＦのスリット
Ｍｆ  第一部材
１  孔引掛部
１ｈ  横メンバ
１ｖ  縦メンバ
２  基部
２Ｈ  長穴
Ｍｓ  第二部材
３  本体部  
３Ｈ  長穴
４  孔挿入舌片部
５，５１，５２  第一部材Ｍｆの保持部
ＳＷ  セキュリティワイヤ
Ｒ  リング部
【図１】
2017215009.tif 000003
【図２】
2017215009.tif 000004
【図３】
2017215009.tif 000005
【図４】
2017215009.tif 000006
【図５】
2017215009.tif 000007
【図６】
2017215009.tif 000008
【図７】
2017215009.tif 000009
【図８】
2017215009.tif 000010
【図９】
2017215009.tif 000011